(57)【要約】【課題】複数の使用者の指示に基づき紙幣が処理されても、各使用者の管理すべき紙幣を容易に判別することが可能な紙幣処理装置を提供する。【解決手段】複数の使用者がそれぞれ操作する複数の操作装置と接続しており、前記操作装置を介した各使用者の指示に基づき紙幣を処理する紙幣処理装置であって、前記紙幣を搬送する搬送部と、前記搬送部により搬送される紙幣を収納する複数の紙幣収納部と、を備え、前記複数の紙幣収納部は、前記複数の使用者のうちの第１使用者の指示に基づき処理される紙幣のみを収納する第１専用収納部と、前記複数の使用者のうちの第２使用者の指示に基づき処理される紙幣のみを収納する第２専用収納部と、を含む、紙幣処理装置。【選択図】図３
2014049040.tif 000002
【特許請求の範囲】
【請求項１】
複数の使用者がそれぞれ操作する複数の操作装置と接続しており、前記操作装置を介した各使用者の指示に基づき紙幣を処理する紙幣処理装置であって、
前記紙幣を搬送する搬送部と、
前記搬送部により搬送される紙幣を収納する複数の紙幣収納部と、
を備え、
前記複数の紙幣収納部は、
前記複数の使用者のうちの第１使用者の指示に基づき処理される紙幣のみを収納する第１専用収納部と、
前記複数の使用者のうちの第２使用者の指示に基づき処理される紙幣のみを収納する第２専用収納部と、
を含む、紙幣処理装置。
【請求項２】
請求項１に記載の紙幣処理装置において、
前記複数の紙幣収納部は、前記第１使用者の指示に基づき処理される紙幣、及び前記第２使用者の指示に基づき使用される紙幣を収納する共用収納部を含む、紙幣処理装置。
【請求項３】
請求項１又は２に記載の紙幣処理装置において、
前記第１専用収納部と前記第２専用収納部は、同じ金種の紙幣を収納する、紙幣処理装置。
【請求項４】
請求項１〜３のいずれか１項に記載の紙幣処理装置において、
前記複数の紙幣収納部は、紙幣の金種別の前記第１専用収納部及び前記第２専用収納部を含む、紙幣処理装置。
【請求項５】
請求項２に記載の紙幣処理装置において、
前記第１専用収納部及び前記第２専用収納部は、紙幣の入金処理の際に前記紙幣を集積すると共に、紙幣の出金処理の際に前記紙幣を繰り出し、
前記共用収納部は、前記入金処理の際に紙幣を集積する一方で、前記出金処理の際に紙幣を繰り出さない収納部を含む、紙幣処理装置。
【請求項６】
請求項１〜５のいずれか１項に記載の紙幣処理装置において、
前記第１専用収納部と前記第２専用収納部は、紙幣の入金処理の際に紙幣を集積する一方で、紙幣の出金処理の際に紙幣を繰り出さない入金専用収納部を含む、紙幣処理装置。
【請求項７】
請求項６に記載の紙幣処理装置において、
前記複数の紙幣収納部は、前記第１使用者の指示に基づき処理される紙幣、及び前記第２使用者の指示に基づき使用される紙幣を収納する共用収納部を含み、
前記共用収納部は、前記入金処理の際に紙幣を集積しない一方で、前記出金処理の際に紙幣を繰り出す繰出専用収納部を含む、紙幣処理装置。
【請求項８】
請求項１に記載の紙幣処理装置において、
前記複数の紙幣収納部は、複数の前記第１専用収納部及び前記第２専用収納部のみで構成される、紙幣処理装置。
【請求項９】
請求項２に記載の紙幣処理装置において、
前記紙幣が排出される出金口と、
前記紙幣の搬送を制御する制御部と、
を更に備え、
前記制御部は、前記共用収納部の紙幣の前記出金口における回収処理の際に、前記共用収納部に収納された紙幣のうちの前記第１使用者又は前記第２使用者の指示に基づき処理された紙幣のみを、前記出金口に搬送する、紙幣処理装置。
【請求項１０】
請求項２に記載の紙幣処理装置において、
前記共用収納部に収納された紙幣が、前記第１使用者又は前記第２使用者の指示に基づき処理されたかを示す情報を記憶する記憶部を更に備える、紙幣処理装置。
【発明の詳細な説明】
【技術分野】
【０００１】
本発明は、紙幣処理装置、及び紙幣処理方法に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。現金処理装置の操作者である職員は、例えば、現金処理装置の操作部、又は現金処理装置に接続された受付端末から操作を行うことにより、入金取引や出金取引を行うことができる。
【０００３】
下記の特許文献１には、紙幣入金口に投入された紙幣を一時保留部に一時保留した後にスタッカに収納する入金処理と、スタッカに収納された紙幣を分離して紙幣出金口に搬送する出金処理とを行う現金処理装置が開示されている。
【先行技術文献】
【特許文献】
【０００４】
【特許文献１】特開２００１−９３０２２号公報
【発明の概要】
【発明が解決しようとする課題】
【０００５】
ところで、現金処理装置の中には、複数の職員がそれぞれ操作する複数の操作装置と接続しており、操作装置を介した各職員の指示に基づき入金処理や出金処理を行う現金処理装置がある。かかる場合には、各職員の指示に基づき入出金される紙幣が混在することになり、各職員は、例えば現金処理装置の中のどの紙幣が自己の管理すべき紙幣かを判別することが困難である。
【０００６】
そこで、本発明は、上記問題に鑑みてなされたものであり、本発明の目的とするところは、複数の使用者の指示に基づき紙幣が処理されても、各使用者の管理すべき紙幣を容易に判別することが可能な、新規かつ改良された紙幣処理装置を提供することにある。
【課題を解決するための手段】
【０００７】
上記課題を解決するために、本発明のある観点によれば、複数の使用者がそれぞれ操作する複数の操作装置と接続しており、前記操作装置を介した各使用者の指示に基づき紙幣を処理する紙幣処理装置であって、前記紙幣を搬送する搬送部と、前記搬送部により搬送される紙幣を収納する複数の紙幣収納部と、を備え、前記複数の紙幣収納部は、前記複数の使用者のうちの第１使用者の指示に基づき処理される紙幣のみを収納する第１専用収納部と、前記複数の使用者のうちの第２使用者の指示に基づき処理される紙幣のみを収納する第２専用収納部と、を含む、紙幣処理装置が提供される。
【０００８】
かかる紙幣処理装置によれば、紙幣を収納する複数の紙幣収納部は、複数の使用者のうちの第１使用者の指示に基づき処理される紙幣のみを収納する第１専用収納部と、複数の使用者のうちの第２使用者の指示に基づき処理される紙幣のみを収納する第２専用収納部と、を含む。これにより、第１使用者の指示に基づき入出金される紙幣と第２使用者の指示に基づき入出金される紙幣とが、混在することを防止できる。このため、複数の使用者の指示に基づき紙幣が処理されても、各使用者の管理すべき紙幣を容易に判別することが可能となる。
【０００９】
また、上記の紙幣処理装置において、前記複数の紙幣収納部は、前記第１使用者の指示に基づき処理される紙幣、及び前記第２使用者の指示に基づき使用される紙幣を収納する共用収納部を含むこととしても良い。
【００１０】
また、上記の紙幣処理装置において、前記第１専用収納部と前記第２専用収納部は、同じ金種の紙幣を収納することとしても良い。
【００１１】
また、上記の紙幣処理装置において、前記複数の紙幣収納部は、紙幣の金種別の前記第１専用収納部及び前記第２専用収納部を含むこととしても良い。
【００１２】
また、上記の紙幣処理装置において、前記第１専用収納部及び前記第２専用収納部は、紙幣の入金処理の際に前記紙幣を集積すると共に、紙幣の出金処理の際に前記紙幣を繰り出し、前記共用収納部は、前記入金処理の際に紙幣を集積する一方で、前記出金処理の際に紙幣を繰り出さない収納部を含むこととしても良い。
【００１３】
また、上記の紙幣処理装置において、前記第１専用収納部と前記第２専用収納部は、紙幣の入金処理の際に紙幣を集積する一方で、紙幣の出金処理の際に紙幣を繰り出さない入金専用収納部を含むこととしても良い。
【００１４】
また、上記の紙幣処理装置において、前記複数の紙幣収納部は、前記第１使用者の指示に基づき処理される紙幣、及び前記第２使用者の指示に基づき使用される紙幣を収納する共用収納部を含み、前記共用収納部は、前記入金処理の際に紙幣を集積しない一方で、前記出金処理の際に紙幣を繰り出す繰出専用収納部を含むこととしても良い。
【００１５】
また、上記の紙幣処理装置において、前記複数の紙幣収納部は、複数の前記第１専用収納部及び前記第２専用収納部のみで構成されることとしても良い。
【００１６】
また、上記の紙幣処理装置において、前記紙幣が排出される出金口と、前記紙幣の搬送を制御する制御部と、を更に備え、前記制御部は、前記共用収納部の紙幣の前記出金口における回収処理の際に、前記共用収納部に収納された紙幣のうちの前記第１使用者又は前記第２使用者の指示に基づき処理された紙幣のみを、前記出金口に搬送することとしても良い。
【００１７】
また、上記の紙幣処理装置において、前記共用収納部に収納された紙幣が、前記第１使用者又は前記第２使用者の指示に基づき処理されたかを示す情報を記憶する記憶部を更に備えることとしても良い。
【発明の効果】
【００１８】
以上説明したように本発明によれば、複数の使用者の指示に基づき紙幣が処理されても、各使用者の管理すべき紙幣を容易に判別することが可能となる。
【図面の簡単な説明】
【００１９】
【図１】第１の実施形態に係る紙幣処理装置１０の内部構成例を示す図である。
【図２】紙幣処理装置１０に接続された複数の受付端末９０ａ、９０ｂの構成例を示す図である。
【図３】第１の実施形態における紙幣カセットの運用例を説明するための模式図である。
【図４】第１の実施形態に係る入金処理時の紙幣の搬送例を説明するための模式図である。
【図５】第１の実施形態に係る出金処理時の紙幣の搬送例を説明するための模式図である。
【図６】使用者ＩＤと処理情報との対応関係の一例を説明するための図である。
【図７】共用カセット内の紙幣に関する紙幣情報の一例を説明するための図である。
【図８】共用カセット内の紙幣の紙幣情報と使用者ＩＤとの対応関係を示す表示画面の一例を説明するための図である。
【図９】紙幣処理装置１０の機能構成例を示すブロック図である。
【図１０】第１の実施形態における紙幣カセット３０Ａ〜３０Ｄの装填の流れを示すフローチャートである。
【図１１】カセットＩＤと使用者ＩＤの登録画面２１０の一例を示す図である。
【図１２】第１の実施形態に係る入金処理例を示すフローチャートである。
【図１３】第１の実施形態に係る入金処理時の紙幣の搬送先決定処理を示すフローチャートである。
【図１４】第１の実施形態に係る入金処理例を示すフローチャートである。
【図１５】第２の実施形態における紙幣カセット３０Ａ〜３０Ｄ、３５の運用例を説明するための模式図である。
【図１６】第２の実施形態に係る入金処理時の紙幣の搬送例を説明するための模式図である。
【図１７】第２の実施形態に係る出金処理時の紙幣の搬送例を説明するための模式図である。
【図１８】第３の実施形態における紙幣カセットの運用例を説明するための模式図である。
【図１９】第３の実施形態に係る入金処理時の紙幣の搬送例を説明するための模式図である。
【図２０】第３の実施形態に係る出金処理時の紙幣の搬送例を説明するための模式図である。
【図２１】第４の実施形態に係る回収処理例を示すフローチャートである。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
＜１．第１の実施形態＞
（１−１．紙幣処理装置の内部構成例）
図１を参照しながら、第１の実施形態に係る紙幣処理装置１０の内部構成例について説明する。
【００２２】
図１は、第１の実施形態に係る紙幣処理装置１０の内部構成例を示す図である。紙幣処理装置１０は、金融機関の営業店等に設置されている。紙幣処置装置１０は、装置の操作者である金融機関の受付窓口員等の職員による操作に基づいて、紙幣の取引を行う職員操作型端末である。
【００２３】
紙幣処理装置１０は、図１に示すように、入金口１２と、出金口１８と、紙幣認識部２０と、一時保留部２２と、搬送部２４と、紙幣カセット３０Ａ〜３０Ｄと、リジェクト庫付き紙幣カセット３５と、表示部４０とを有する。なお、紙幣カセット３０Ａ〜３０Ｄ、及びリジェクト庫付き紙幣カセット３５が、紙幣を収納する複数の紙幣収納部の一例に該当する。
【００２４】
入金口１２は、職員が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００２５】
出金口１８は、職員が受け取る紙幣が排出（出金）される排出口である。出金口１８は、排出する紙幣を集積する集積機能を有する。出金口１８には、開口部を開閉するシャッタ（不図示）を設けるようにしてもよい。出金口１８は、一例として、紙幣を１００枚（最大集積枚数）集積できる容量を有する。なお、図１に示す例では、出金口が一つ設けられているが、これに限定されず、例えば出金口が二つ以上であってもよい。
【００２６】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２７】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００２８】
一時保留部２２は、紙幣の分離と集積の両方の機能を有する。例えば、一時保留部２２は、入金取引時に入金口１２から分離されて紙幣認識部２０により正常と鑑別された紙幣を一時的に集積する。一時保留部２２に集積された紙幣は、入金した紙幣の口座計上などが確定したなど、取引が成立した場合に繰り出され、紙幣認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００２９】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。搬送部２４は、後述する制御部により制御され、紙幣を目的の搬送先に搬送する。
【００３０】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、紙幣処理装置１０に対して着脱可能な構造になっており、個別に交換することで紙幣カセット３０Ａ〜３０Ｄに紙幣を装填することも可能である。
【００３１】
リジェクト庫付き紙幣カセット３５（以下、紙幣カセット３５と称す）は、紙幣処理装置１０に対して着脱可能な構造になっており、個別に交換することで、紙幣の回収および補充が可能である。また、紙幣カセット３５は、上側に紙幣収納庫３５ａ、下側（底部）にリジェクト庫３５ｂを備える。
【００３２】
紙幣収納庫３５ａは、紙幣を集積する集積機能および１枚ずつ繰り出す分離機能を有する。また、紙幣収納庫３５ａは、カセット計数回収時に各紙幣カセット３０Ａ〜３０Ｄから分離された紙幣を集積し、紙幣を回収することができる。また、紙幣収納庫３５ａは、カセット計数補充時に、紙幣収納庫３５ａ内に集積している紙幣を繰り出し、紙幣カセット３０Ａ〜３０Ｄに紙幣を補充することができる。
【００３３】
リジェクト庫３５ｂは、紙幣を集積する集積機能のみ有する。リジェクト庫３５ｂは、紙幣認識部２０によって異常と鑑別（リジェクト判定）された紙幣（リジェクト紙幣）を集積するための紙幣収納部である。
【００３４】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３５】
また、紙幣処理装置１０は、職員が操作可能な操作部４２（図２参照）を有する。紙幣処理装置１０は、装置の操作者である職員が操作部４２を操作することにより、入金や出金の取引に対応する入金処理や出金処理等を行う。なお、紙幣処理装置１０は、操作部４２の代わりに、図２に示す紙幣処理装置１０に接続された複数の受付端末９０ａ、９０ｂにおける職員の操作に基づいて、処理を行なっても良い。
【００３６】
図２は、紙幣処理装置１０に接続された複数の操作装置の一例である受付端末９０ａ、９０ｂの構成例を示す図である。図２では、二つの受付端末９０ａ、９０ｂが有線（ケーブル）で紙幣処理装置１０に接続され、紙幣処理装置１０は、受付端末９０ａと受付端末９０ｂの間に配置されている。受付端末９０ａは職員Ｓ１により操作され、受付端末９０ｂは職員Ｓ２により操作される。そして、受付端末９０ａ、９０ｂは、職員Ｓ１、Ｓ２により選択された処理モード（入金／出金処理等）を紙幣処理装置１０で実行するように指示を送る。このように、複数の受付端末９０ａ、９０ｂが、一台の紙幣処理装置１０を共有する。
【００３７】
なお、図２では、二つの受付端末９０ａ、９０ｂが紙幣処理装置１０に接続されているが、これに限定されず、三つ以上の受付端末が紙幣処理装置１０に接続されても良い。また、上記では、受付端末９０ａ、９０ｂが有線で紙幣処理装置１０と接続されていることとしたが、これに限定されず、無線（ＬＡＮ等）で接続されても良い。
【００３８】
（１−２．紙幣処理装置の基本処理）
紙幣処置装置１０は、基本処理として、例えば入金処理、出金処理、補充処理、回収処理を行う。以下では、図１を参照しながら処理毎に説明する。
【００３９】
（入金処理）
入金処理は、入金口１２の紙幣を紙幣処理装置１０の内部に集積する処理である。紙幣処理装置１０は、入金処理として、例えば、入金紙幣を一時保留部２２へ退避させた後に一時保留部２２から紙幣カセット３０Ａ〜３０Ｄに集積する通常入金処理と、入金紙幣を一時保留部２２へ退避させないで直接紙幣カセット３０Ａ〜３０Ｄに集積するダイレクト入金処理とを行う。なお、紙幣処理装置１０は、設定により通常入金処理又はダイレクト入金処理を選択することができる。
【００４０】
まず、通常入金処理について説明する。通常入金処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、一時保留部２２へ搬送されて集積される。その後、入金金額が確定すると、集積処理に移行する。
【００４１】
一方で、紙幣認識部２０による鑑別結果が異常であった紙幣（リジェクト紙幣）は、出金口１８に集積される。出金口１８に集積された紙幣は、職員により入金口１２に再投入されることで、紙幣認識部２０による再鑑別が可能である。なお、以下において、紙幣認識部２０により紙幣を鑑別し、鑑別結果に基づき搬送先に紙幣を搬送する処理を計数処理とも呼ぶ。
【００４２】
集積処理においては、まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、紙幣認識部２０による鑑別結果が異常であった紙幣は、紙幣カセット３５のリジェクト庫３５ｂに集積される。
【００４３】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣を出金口１８へ集積する。
【００４４】
次に、ダイレクト入金処理について説明する。入金口１２に投入された紙幣は、通常入金処理と同様に、紙幣認識部２０により鑑別される。そして、鑑別結果が正常であった紙幣は、金種に対応する紙幣カセット３０Ａ〜３０Ｄに集積される。一方で、鑑別結果が異常であった紙幣（リジェクト紙幣）は、出金口１８に集積される。出金口１８に集積された紙幣は、職員により入金口１２に再投入されることで、紙幣認識部２０による再鑑別が可能である。
【００４５】
（出金処理）
出金処理は、紙幣カセット３０Ａ〜３０Ｄの紙幣を出金口１８に集積する処理である。
【００４６】
出金処理においては、まず、指定された金額に応じて紙幣カセット３０Ａ〜３０Ｄから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、出金口１８に集積される。具体的には、例えば出金する正常紙幣の金種や枚数に応じて、出金口１８に集積（集金）される。一方で、鑑別結果が異常であった紙幣、すなわち、顧客に支払いできない紙幣は、紙幣カセット３５のリジェクト庫３５ｂに集積される。
【００４７】
（補充処理）
補充処理は、紙幣処理装置１０に紙幣を補充する処理である。紙幣処理装置１０においては、具体的な補充方法として、入金口補充、カセット交換補充、およびカセット計数補充が可能である。以下、各補充方法について説明する。
【００４８】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｄに集積される。一方で、鑑別結果が異常であった紙幣は、出金口１８に集積される。
【００４９】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００５０】
カセット計数補充においては、まず、紙幣カセット３５の紙幣収納庫３５ａに予め紙幣を装填し、紙幣処理装置１０にセットする。次に、紙幣収納庫３５ａから繰り出され、紙幣認識部２０による鑑別結果が正常であった紙幣は、金種に対応する紙幣カセット３０Ａ〜３０Ｄに集積される。一方で、鑑別結果が異常であった紙幣は、リジェクト庫３５ｂに集積される。なお、カセット計数補充では、紙幣認識部２０により計数処理が実行されるので、補充した紙幣の金種および枚数をオペレータがマニュアルで登録する必要はない。
【００５１】
（回収処理）
回収処理は、紙幣処理装置１０内の紙幣を回収する処理である。紙幣処理装置１０においては、具体的な回収方法として、出金口回収、カセット交換回収、およびカセット計数回収が可能である。以下、各回収方法について説明する。
【００５２】
出金口回収は、上述した出金処理における動作と同様である。例えば、回収対象の紙幣カセット３０Ａ〜３０Ｄから繰り出され、紙幣認識部２０による鑑別結果が正常であった紙幣は、出金口１８に集積される。一方で、鑑別結果が異常であった紙幣は、リジェクト庫３５ｂに集積される。そして、回収対象の紙幣カセット３０Ａ〜３０Ｄに集積された全紙幣に対して行い、職員は、出金口１８から、正常判定された紙幣を回収することができる。また、職員は、リジェクト庫３５ｂから異常判定された紙幣を回収することができる。
【００５３】
カセット交換回収は、紙幣カセット３０Ａ〜３０Ｄのうちの所定の紙幣カセットを紙幣処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００５４】
カセット計数回収においては、紙幣カセット３０Ａ〜３０Ｄのうち回収対象の紙幣カセットから繰り出され、紙幣認識部２０による鑑別結果が正常であった紙幣は、紙幣カセット３５の紙幣収納庫３５ａに集積される。一方で、鑑別結果が異常であった紙幣は、リジェクト庫３５ｂに集積される。その後、職員が紙幣カセット３５のみを紙幣処理装置１０から取り外すことで、正常判定された紙幣および異常判定された紙幣を回収することができる。また、カセット計数回収では、紙幣認識部２０により計数処理が実行されるので、回収した紙幣の金種および枚数をオペレータがマニュアルで数える必要はない。
【００５５】
（１−３．紙幣カセットの運用例）
紙幣処理装置１０は、上述したように複数の職員Ｓ１、Ｓ２がそれぞれ操作する複数の受付端末９０ａ、９０ｂと接続されている。このため、紙幣処理装置１０は、受付端末９０ａ、９０ｂを介した各職員の指示に基づき、入金処理や出金処理等の紙幣に関する処理を行う。すなわち、複数の受付端末９０ａ、９０ｂが、一台の紙幣処理装置１０を共有することになる。
【００５６】
上記の紙幣処理装置１０においては、各職員の指示に基づき入出金される紙幣が混在する恐れがある。例えば、職員Ｓ１の受付端末９０ａを介した指示により入金された紙幣が、職員Ｓ２の受付端末９０ｂを介した指示により出金される場合がある。かかる場合には、各職員は、紙幣処理装置１０の中のどの紙幣が自己の管理すべき紙幣かを判別することが困難である。
【００５７】
そこで、第１の実施形態の紙幣処理装置１０においては、複数の職員の指示に基づき紙幣の入金処理や出金処理等が行われても、各使用者の管理すべき紙幣を容易に判別するために、図３に示すように、職員Ｓ１、Ｓ２毎の指示により処理される紙幣のみを収納する専用の紙幣カセットを設ける運用をしている。
【００５８】
図３は、第１の実施形態における紙幣カセットの運用例を説明するための模式図である。図３に示すように、紙幣カセット３０Ａ及び紙幣カセット３０Ｂは、職員Ｓ１、Ｓ２のうちの職員Ｓ１の指示に基づき処理される紙幣のみを収納する専用カセット（第１専用収納部に該当）である。紙幣カセット３０Ｃ及び紙幣カセット３０Ｄは、職員Ｓ１、Ｓ２のうちの職員Ｓ２の指示に基づき処理される紙幣のみを収納する専用カセット（第２専用収納部に該当）である。紙幣収納庫３５ａ及びリジェクト庫３５ｂは、職員Ｓ１の指示に基づき処理される紙幣、及び職員Ｓ２の指示に基づき処理される紙幣を収納する共用カセット（共用収納部に該当）である。
【００５９】
また、紙幣カセット３０Ａ〜３０Ｄは、紙幣を金種別に収納する。紙幣カセット３０Ａ及び紙幣カセット３０Ｃが、同じ金種である第１金種（以下では、一例として１００元とする）を収納し、紙幣カセット３０Ｂ及び紙幣カセット３０Ｄが、同じ金種である第２金種（以下では、一例として５０元とする）を収納する。また、第１の実施形態で、紙幣カセット３０Ａ〜３０Ｄは、それぞれ紙幣の入金処理の際に紙幣を集積すると共に、紙幣の出金処理の際に紙幣を繰り出すリサイクル庫である。
【００６０】
紙幣収納庫３５ａは、第１の実施形態では、紙幣の入金処理の際に紙幣を集積する一方で、紙幣の出金処理の際に紙幣を繰り出さない入金専用庫である。リジェクト庫３５ｂは、前述したように、紙幣認識部２０によって異常と鑑別（リジェクト判定）された紙幣（リジェクト紙幣）を集積する機能を有する。
【００６１】
（入金処理時の紙幣の搬送例）
図４は、第１の実施形態に係る入金処理時の紙幣の搬送例を説明するための模式図である。図４（ａ）は、職員Ｓ１による入金処理時の紙幣の搬送例を示し、図４（ｂ）は、職員Ｓ２による入金処理時の紙幣の搬送例を示す。
【００６２】
職員Ｓ１による入金処理の際には、入金口１２に投入された入金対象の紙幣は、図４（ａ）に示すように、職員Ｓ１の専用カセットである紙幣カセット３０Ａ、３０Ｂと、共用カセットである紙幣収納庫３５ａ及びリジェクト庫３５ｂのいずれかに搬送される。具体的には、入金対象の紙幣が１００元である場合には、紙幣は紙幣カセット３０Ａに搬送され、入金対象の紙幣が５０元である場合には、紙幣は紙幣カセット３０Ｂに搬送される。また、入金対象の紙幣が５０元、１００元以外の場合や、紙幣カセット３０Ａ、３０Ｂに収納できない場合には、紙幣は紙幣収納庫３５ａに搬送される。入金対象の紙幣がリジェクト紙幣である場合には、紙幣はリジェクト庫３５ｂに搬送される。
【００６３】
同様に、職員Ｓ２による入金処理の際には、入金口１２に投入された入金対象の紙幣は、図４（ｂ）に示すように、職員Ｓ２の専用カセットである紙幣カセット３０Ｃ、３０Ｄと、共用カセットである紙幣収納庫３５ａ及びリジェクト庫３５ｂのいずれかに搬送される。具体的には、入金対象の紙幣が１００元である場合には、紙幣は紙幣カセット３０Ｃに搬送され、入金対象の紙幣が５０元である場合には、紙幣は紙幣カセット３０Ｄに搬送される。また、入金対象の紙幣が５０元、１００元以外の場合や、紙幣カセット３０Ｃ、３０Ｄに収納できない場合には、紙幣は紙幣収納庫３５ａに搬送される。入金対象の紙幣がリジェクト紙幣である場合には、紙幣はリジェクト庫３５ｂに搬送される。
【００６４】
（出金処理時の紙幣の流れ）
図５は、第１の実施形態に係る出金処理時の紙幣の搬送例を説明するための模式図である。図５（ａ）は、職員Ｓ１による出金処理時の紙幣の搬送例を示し、図５（ｂ）は、職員Ｓ２による出金処理時の紙幣の搬送例を示す。
【００６５】
職員Ｓ１による出金処理の際には、出金口１８へ搬送される出金対象の紙幣を繰り出す紙幣カセットは、図５（ａ）に示すように、職員Ｓ１の専用カセットである紙幣カセット３０Ａ、３０Ｂである。具体的には、出金対象の紙幣が１００元である場合には、紙幣カセット３０Ａの紙幣が繰り出され、出金対象の紙幣が５０元である場合には、紙幣カセット３０Ｂの紙幣が繰り出される。そして、リジェクト紙幣で無い場合には、紙幣は出金口１８に搬送され、リジェクト紙幣である場合には、紙幣はリジェクト庫３５ｂに搬送される。
【００６６】
同様に、職員Ｓ２による出金処理の際には、出金口１８へ搬送される出金対象の紙幣を繰り出す紙幣カセットは、図５（ｂ）に示すように、職員Ｓ２の専用カセットである紙幣カセット３０Ｃ、３０Ｄである。具体的には、出金対象の紙幣が１００元である場合には、紙幣カセット３０Ｃの紙幣が繰り出され、出金対象の紙幣が５０元である場合には、紙幣カセット３０Ｄの紙幣が繰り出される。そして、リジェクト紙幣で無い場合には、紙幣は出金口１８に搬送され、リジェクト紙幣である場合には、紙幣はリジェクト庫３５ｂに搬送される。
【００６７】
上述したように、第１の実施形態においては、紙幣カセット３０Ａ、３０Ｂを職員Ｓ１の専用カセットとすると共に、紙幣カセット３０Ｃ、３０Ｄを職員Ｓ２の専用カセットとして運用している。このため、紙幣カセット３０Ａ、３０Ｂには、職員Ｓ１が管理できる紙幣が収納され、紙幣カセット３０Ｃ、３０Ｄには、職員Ｓ２が管理できる紙幣が収納されることとなる。従って、職員Ｓ１、Ｓ２は、それぞれ自己が管理すべき紙幣の入金や出金等を把握しやすくなる。また、職員Ｓ１、Ｓ２は、自己の管理すべき紙幣のみを収納した紙幣カセットを抜き取ったり、自己の管理すべき紙幣のみを紙幣カセットから回収しやすくなる。
【００６８】
また、第１の実施形態においては、紙幣収納庫３５ａ及びリジェクト庫３５ｂを、職員Ｓ１、Ｓ２の共用カセットとして運用している。このため、紙幣収納庫３５ａ及びリジェクト庫３５ｂには、職員Ｓ１、Ｓ２がそれぞれ管理すべき紙幣が混在することになる。しかし、第１の実施形態では、下記の図６に示すテーブルと図７に示すテーブルに基づき、紙幣収納庫３５ａ及びリジェクト庫３５ｂに収納された紙幣を、職員Ｓ１、Ｓ２のそれぞれが管理すべき紙幣に特定できる。
【００６９】
図６は、使用者ＩＤと取引処理との対応関係の一例を説明するための図である。図６のテーブルＴ１の使用者ＩＤ「Ｔ００１」は職員Ｓ１に対応し、使用者ＩＤ「Ｔ００２」は職員Ｓ２に対応する。そして、図６では、職員Ｓ１、Ｓ２が受付端末９０ａ、９０ｂで入金処理や出金処理を指示したときの対応関係が示されている。例えば、図６のテーブルは、職員Ｓ１が入金処理（１）を指示した後に、職員Ｓ１が入金処理（２）を指示したことを示す。
【００７０】
図７は、共用カセット内の紙幣の集積位置情報と紙幣情報との対応関係の一例を説明するための図である。図７のテーブルＴ２には、例えばリジェクト庫３５ｂに収納された紙幣の集積順に、紙幣の金種、記番号、取引処理を含む紙幣情報が記憶されている。例えば、図７のテーブルは、リジェクト庫３５ｂの集積位置が「１」である紙幣の金種は「２０元」であり、紙幣の記番号は「０００１」であり、紙幣は入金処理（１）で収納されたことを示す。なお、記番号は、個々の紙幣を識別するための通し番号である。
【００７１】
そして、上述した図６のテーブルＴ１及び図７のテーブルＴ２は、紙幣処理装置１０の記憶部８０（図９参照）されている。そして、記憶部８０に記憶されたテーブルＴ１とテーブルＴ２とを参照することで、共用カセットに収納された紙幣が職員Ｓ１、Ｓ２のいずれの管理対象であるかを特定できる。具体的には、図８に示す表示画面Ｓが受付端末９０ａ（９０ｂ）の表示部に表示されることで、職員Ｓ１（Ｓ２）は、自己が管理すべき紙幣を容易に判別できる。
【００７２】
図８は、共用カセット内の紙幣の紙幣情報と使用者ＩＤとの対応関係を示す表示画面の一例を説明するための図である。図８の表示画面Ｓは、受付端末９０ａ（９０ｂ）に表示され、リジェクト庫３５ｂに収納された紙幣の紙幣情報と、使用者ＩＤとを対応関係を示す。例えば、リジェクト庫３５ｂの集積位置が「１」である紙幣が、職員Ｓ１の管理すべき紙幣であることを示す。
【００７３】
（１−４．紙幣処理装置の機能構成例）
図９を参照しながら、紙幣処理装置１０の機能構成例について説明する。図９は、紙幣処理装置１０の機能構成例を示すブロック図である。図９に示すように、紙幣処理装置１０は、制御部７０と、記憶部８０と、検知部８２とを備える。
【００７４】
制御部７０は、紙幣処理装置１０の動作全般を制御する。具体的には、制御部７０は、上述した入金処理、出金処理、補充処理、回収処理等の基本処理を制御する。例えば、制御部７０は、紙幣カセット３０Ａ〜３０Ｄ、３５による紙幣の繰り出しや、搬送部２４による紙幣の搬送を制御する。
【００７５】
記憶部８０は、紙幣処理装置１０が動作するためのプログラム等を記憶する。また、記憶部８０は、紙幣カセット３０Ａ〜３０Ｄに収納された紙幣に関する情報（紙幣の枚数や、紙幣の記番号等の情報）を記憶する。例えば、記憶部８０は、共用カセット（紙幣収納庫３５ａやリジェクト庫３５ｂ）に収納された紙幣が、職員Ｓ１又は職員Ｓ２の指示に基づき処理されたかを示す情報を記憶する。
【００７６】
検知部８２は、例えば光学センサ等を有し、様々な状態を検知する。例えば、検知部８２は、紙幣カセット３０Ａ〜３０Ｄの紙幣の集積状態（集積枚数等）を検知する。また、検知部８２は、紙幣の搬送状態を検知しうる。
【００７７】
紙幣カセット３０Ａ〜３０Ｄ、３５は、収納した紙幣に関する情報を記憶するカセット記憶部３８を有する。制御部７０は、例えば紙幣カセット３０Ａ〜３０Ｄ、３５の装着の際に、カセット記憶部３８に記憶された情報を読み取ったり、カセット記憶部３８に情報を書き込む。
【００７８】
なお、上述した制御部７０、および記憶部８０の機能は、ＣＰＵ（Ｃｅｎｔｒａｌ Ｐｒｏｃｅｓｓｉｎｇ
Ｕｎｉｔ）、ＲＯＭ（Ｒｅａｄ Ｏｎｌｙ Ｍｅｍｏｒｙ）、およびＲＡＭ（Ｒａｎｄｏｍ
Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００７９】
（１−５．第１の実施形態の動作例）
以下では、第１の実施形態に係る紙幣処理装置１０の動作例として、紙幣の入金処理や出金処理例を説明する。
【００８０】
紙幣処理装置１０が入金処理や出金処理を開始する前に、受付端末９０ａ、９０ｂの職員Ｓ１、Ｓ２は、自己専用の紙幣カセット３０Ａ〜３０Ｄに紙幣を装填し、紙幣カセット３０Ａ〜３０Ｄと使用者ＩＤとの対応付けを行う。そこで、まず、図１０を参照しながら、第１の実施形態における紙幣カセット３０Ａ〜３０Ｄの装填の流れについて説明する。
【００８１】
（紙幣カセットの装填の流れ）
図１０は、第１の実施形態における紙幣カセット３０Ａ〜３０Ｄの装填の流れを示すフローチャートである。ここでは、職員Ｓ１が、自己専用の紙幣カセット３０Ａ、３０Ｂに紙幣を装填するものとする。
【００８２】
職員Ｓ１による紙幣カセット３０Ａ、３０Ｂの紙幣の補充が、カセット交換補充である場合には（ステップＳ１０２：Ｙｅｓ）、職員Ｓ１は、自己専用の紙幣カセット３０Ａ、３０Ｂに紙幣を装填する（ステップＳ１０４）。そして、職員Ｓ１は、紙幣が装填された紙幣カセット３０Ａ、３０Ｂを紙幣処理装置１０にセットする（ステップＳ１０６）。
【００８３】
次に、職員Ｓ１は、紙幣カセット３０Ａ、３０ＢのカセットＩＤと、自己の使用者ＩＤとの対応付けを行い（ステップＳ１０８）、自己専用の紙幣カセット３０Ａ、３０Ｂを登録する。具体的には、職員Ｓ１は、図１１に示す受付端末９０ａの登録画面２１０において、自己専用の紙幣カセット毎に使用者ＩＤを登録する。
【００８４】
図１１は、カセットＩＤと使用者ＩＤの登録画面２１０の一例を示す図である。登録画面２１０では、紙幣カセット毎に使用者ＩＤを入力できる。例えば、図１１では、職員Ｓ１は、自己専用の紙幣カセット３０Ａに対して、使用者ＩＤとして「Ｔ００１」を入力している。そして、職員Ｓ１が登録ボタン２１２を押下することで、入力されたカセットＩＤが登録される。なお、図１１では、カセットＩＤは予め設定されているが、職員が入力できても良い。
【００８５】
図１０に戻って説明を続ける。職員Ｓ１は、使用者ＩＤを登録した後、紙幣の補充方法に応じた作業を行う（ステップＳ１１０〜Ｓ１１６）。すなわち、補充方法がカセット交換補充である場合には、職員Ｓ１は、例えば受付端末９０ａの表示画面にて、紙幣カセット３０Ａ、３０Ｂに装填した紙幣の金種と、紙幣の枚数を登録する（ステップＳ１１２）。紙幣の金種や枚数の登録は、例えば使用者ＩＤの登録直後に行われる。
【００８６】
一方で、紙幣の補充方法が入金口補充である場合には、職員Ｓ１が入金口１２に紙幣を投入することで、入金口１２から紙幣が紙幣カセット３０Ａ、３０Ｂに集積されて補充される（ステップＳ１１４）。また、補充方法がカセット計数補充である場合には、紙幣収納庫３５ａに収納された紙幣を、紙幣カセット３０Ａ、３０Ｂに集積させて補充する（ステップＳ１１６）。
【００８７】
なお、補充方法が入金口補充やカセット計数補充である場合には、入金口１２や紙幣収納庫３５ａから紙幣カセット３０Ａ、３０Ｂに紙幣が搬送される際に、紙幣認識部２０により紙幣が鑑別されるので、紙幣処理装置１０は、紙幣カセット３０Ａ、３０Ｂの補充された紙幣の金種や記番号を取得できる。このため、カセット交換補充の場合と異なり、職員Ｓ１が紙幣の金種や枚数を登録する必要が無い。
【００８８】
上記では、職員Ｓ１の専用カセットである紙幣カセット３０Ａ、３０Ｂへの紙幣の装填の流れについて説明したが、職員Ｓ２の専用カセットである紙幣カセット３０Ｃ、３０Ｄへの紙幣の装填についても同様に行われる。
【００８９】
（入金処理例）
次に、図１２を参照しながら、第１の実施形態に係る入金処理例について説明する。ここで説明する入金処理は、入金紙幣を一時保留部２２へ退避させた後に、一時保留部２２から紙幣カセット３０Ａ〜３０Ｄに集積する通常入金処理である。
【００９０】
図１２は、第１の実施形態に係る入金処理例を示すフローチャートであり、具体的には入金処理時の一枚の紙幣に対する処理を示している。図１２のフローチャートは、職員Ｓ１（Ｓ２）が入金口１２に紙幣を投入し、受付端末９０ａ（９０ｂ）から紙幣処理装置１０の入金処理の指示を送ったところから開始される。この際、紙幣処理装置１０には、受付端末のＩＤ（使用者ＩＤ）も共に送られ、職員Ｓ１、Ｓ２のいずれの職員が入金処理を指示したかが分かる。なお、取引毎に受付端末９０ａ（９０ｂ）のＩＤ（使用者ＩＤ）が送ることなく、受付端末９０ａ（９０ｂ）から初めに使用者ＩＤを登録しておき、その情報を使用することも可能である。
【００９１】
図１２のフローチャートで、紙幣処理装置１０の制御部７０は、まず、入金口１２から紙幣を繰り出し（ステップＳ２０２）、紙幣認識部２０で紙幣の鑑別を行う（ステップＳ２０４）。
【００９２】
次に、制御部７０は、紙幣認識部２０の鑑別結果により、紙幣がリジェクト紙幣であるか否かを判定する（ステップＳ２０６）。ここで、リジェクト紙幣は、金種な不明である紙幣や、走行異常である紙幣等である。ステップＳ２０６においてリジェクト紙幣であると判定された場合には（Ｙｅｓ）、制御部７０は、紙幣を出金口１８に搬送する（ステップＳ２２２）。
【００９３】
一方で、ステップＳ２０６においてリジェクト紙幣で無いと判定された場合には（Ｎｏ）、制御部７０は、紙幣を一時保留部２２に搬送する（ステップＳ２０８）。次に、制御部７０は、一時保留部２２に搬送された紙幣に関する情報を記憶部８０に記憶する（ステップＳ２１０）。ここで、前記情報は、例えば、一時保留部２２内の紙幣の集積位置に関する情報や、紙幣の金種や記番号に関する情報等である。
【００９４】
次に、制御部７０は、一時保留部２２から紙幣を繰り出し（ステップＳ２１２）、紙幣認識部２０で紙幣の鑑別を行う（ステップＳ２１４）。次に、制御部７０は、紙幣の鑑別結果と、入金処理を指示した職員の使用者ＩＤとに基づき、紙幣の搬送先を決定する搬送先決定処理を行う（ステップＳ２１６）。
【００９５】
図１３は、第１の実施形態に係る入金処理時の紙幣の搬送先決定処理を示すフローチャートである。図１３では、職員Ｓ１により入金処理が行われた際の紙幣の搬送先決定処理が示されている。なお、職員Ｓ１により入金処理が行われる際の搬送先の候補は、職員Ｓ１の専用カセットである紙幣カセット３０Ａ、３０Ｂと、共用カセットである紙幣収納庫３５ａ及びリジェクト庫３５ｂである。
【００９６】
図１３のフローチャートで、制御部７０は、紙幣がリジェクト紙幣であるか否かを判定する（ステップＳ２４２）。そして、ステップＳ２４２においてリジェクト紙幣であると判定された場合には（Ｙｅｓ）、制御部７０は、紙幣の搬送先を共用カセットであるリジェクト庫３５ｂに決定する（ステップＳ２６４）。
【００９７】
一方で、ステップＳ２４２においてリジェクト紙幣で無いと判定された場合には（Ｎｏ）、制御部７０は、紙幣の金種を判定する（ステップＳ２４４）。そして、ステップＳ２４４において紙幣の金種が１００元である場合には、制御部７０は、搬送先の候補を、職員Ｓ１の専用カセットである紙幣カセット３０Ａに設定する（ステップＳ２４６）。
【００９８】
次に、制御部７０は、紙幣カセット３０Ａに紙幣を収納可能か否かを判定する（ステップＳ２４８）。すなわち、制御部７０は、紙幣カセット３０Ａに既に最大収納枚数の紙幣が収納されているか否かを判定する。そして、ステップＳ２４８において紙幣カセット３０Ａが紙幣を収納可能である場合には（Ｙｅｓ）、制御部７０は、搬送先を紙幣カセット３０Ａに決定する（ステップＳ２５０）。一方で、ステップＳ２４８において紙幣カセット３０Ａが紙幣を収納できない場合には（Ｎｏ）、制御部７０は、搬送先を共用カセットである紙幣収納庫３５ａに決定する（ステップＳ２５２）。
【００９９】
ステップＳ２４４において紙幣の金種が５０元である場合には、制御部７０は、搬送先の候補を、職員Ｓ１の専用カセットである紙幣カセット３０Ｂに設定する（ステップＳ２５４）。そして、制御部７０は、紙幣カセット３０Ｂが紙幣を収納可能である場合には（ステップＳ２５６：Ｙｅｓ）、搬送先を紙幣カセット３０Ｂに決定し（ステップＳ２５８）、紙幣カセット３０Ｂが紙幣を収納できない場合には（ステップＳ２５６：Ｎｏ）、搬送先を紙幣収納庫３５ａに決定する（ステップＳ２６０）。
【０１００】
また、ステップＳ２４４において紙幣の金種が、１００元、５０元以外である場合には、制御部７０は、搬送先を紙幣収納庫３５ａに決定する（ステップＳ２６２）。これにより、職員Ｓ１の使用者ＩＤと紙幣の鑑別結果とに基づき、紙幣の搬送先が決定される。
【０１０１】
上記では、職員Ｓ１により入金処理が行われた際の紙幣の搬送先決定処理を説明したが、職員Ｓ２により入金処理が行われる際の紙幣の搬送先決定処理も同様である。なお、職員Ｓ２により入金処理が行われる際の搬送先の候補は、職員Ｓ２の専用カセットである紙幣カセット３０Ｃ、３０Ｄと、共用カセットである紙幣収納庫３５ａ及びリジェクト庫３５ｂである。
【０１０２】
図１２のフローチャートに戻って、入金処理の説明を続ける。制御部７０は、搬送先決定処理で搬送先を決定すると（ステップＳ２１６）、決定した搬送先に紙幣を搬送して収納する（ステップＳ２１８）。次に、制御部７０は、収納した紙幣に関する情報を記憶部８０に記憶する（ステップＳ２２０）。ここで、前記情報は、例えば、収納先における紙幣の収納位置に関する情報や、紙幣の金種や記番号に関する情報等である。
【０１０３】
そして、制御部７０は、上述した処理を入金対象の全ての紙幣に対して行う。全ての紙幣が所定の搬送先に搬送されることで、一連の入金処理は完了する。
【０１０４】
（出金処理例）
次に、図１４を参照しながら、第１の実施形態に係る出金処理例について説明する。
【０１０５】
図１４は、第１の実施形態に係る出金処理例を示すフローチャートであり、具体的には出金処理時の一枚の紙幣に対する処理を示している。図１４のフローチャートは、職員Ｓ１（Ｓ２）が受付端末９０ａ（９０ｂ）から紙幣処理装置１０の出金処理の指示を送ったところから開始される。この際、紙幣処理装置１０には、受付端末のＩＤ（使用者ＩＤ）も共に送られ、職員Ｓ１、Ｓ２のいずれの職員が出金処理を指示したかが分かる。なお、取引毎に受付端末受付端末９０ａ（９０ｂ）のＩＤ（使用者ＩＤ）が送ることなく、受付端末受付端末９０ａ（９０ｂ）から初めに使用者ＩＤを登録しておき、その情報を使用することも可能である。
【０１０６】
図１４のフローチャートで、制御部７０は、出金処理を指示した職員の使用者ＩＤと、出金対象の紙幣の金種とに基づいて、紙幣を繰り出す紙幣カセットを決定する（ステップＳ３０２）。ここで、紙幣を繰り出す紙幣カセットとしては、職員Ｓ１の専用カセットである紙幣カセット３０Ａ、３０Ｂと、職員Ｓ２の専用カセットである紙幣カセット３０Ｃ、３０Ｄである。そして、職員Ｓ１が１００元の紙幣を出金する出金処理を指示した場合には、紙幣を繰り出す紙幣カセットとして紙幣カセット３０Ａが決定され、職員Ｓ１が１００元の紙幣を出金する出金処理を指示した場合には、紙幣カセット３０Ｂが決定される。なお、上位端末（受付端末）側で職員専用のカセットを指示してもよい。この場合は、紙幣処理装置１０側で金種から紙幣を繰り出す紙幣カセットを特定する必要はなくなる。
【０１０７】
次に、制御部７０は、決定した紙幣カセットから紙幣を繰り出し（ステップＳ３０４）、紙幣認識部２０で紙幣の鑑別を行う（ステップＳ３０６）。次に、制御部７０は、紙幣認識部２０の鑑別結果により、紙幣がリジェクト紙幣（金種が不明な紙幣、走行異常である紙幣等）であるか否かを判定する（ステップＳ３０８）。
【０１０８】
そして、ステップＳ３０８においてリジェクト紙幣であると判定された場合には（Ｙｅｓ）、制御部７０は、紙幣をリジェクト庫３５ｂに搬送する（ステップＳ３１２）。一方で、ステップＳ３０８においてリジェクト紙幣で無いと判定された場合には（Ｎｏ）、制御部７０は、出金口１８に搬送する（ステップＳ３１０）。
【０１０９】
そして、制御部７０は、上述した処理を出金対象の全ての紙幣に対して行う。全ての紙幣が所定の搬送先に搬送されることで、一連の出金処理は完了する。
【０１１０】
なお、上記では、金種が不明なリジェクト紙幣をリジェクト庫３５ｂに搬送することとしたが、これに限定されない。例えば、金種や枚数が不明なリジェクト紙幣を、一旦一時保留部２２に搬送した後に紙幣認識部２０で再度鑑別し、紙幣の金種や枚数を確定してからリジェクト庫３５ｂに収納しても良い。これにより、リジェクト庫３５ｂに収納された紙幣の金種や枚数を管理できる。
【０１１１】
（１−６．第１の実施形態の有効性）
上述した第１の実施形態に係る紙幣処理装置１０は、図１に示すように、紙幣を収納する複数の紙幣カセット３０Ａ〜３０Ｄ、３５を備える。そして、複数の紙幣カセットは、職員Ｓ１、Ｓ２のうちの職員Ｓ１の指示に基づき処理される紙幣のみを収納する紙幣カセット３０Ａ、３０Ｂと、職員Ｓ２の指示に基づき処理される紙幣のみを収納する紙幣カセット３０Ｃ、３０Ｄと、を含む。すなわち、複数の紙幣カセットは、職員毎の専用カセットを含む。
【０１１２】
これにより、職員Ｓ１の指示に基づき入出金される紙幣と、職員Ｓ２の指示に基づき入出金される紙幣とが、それぞれ専用カセットに収納されることで、混在することを抑制できる。このため、複数の職員の指示に基づき紙幣が処理されても、各職員が管理すべき紙幣を容易に判別できる。また、専用カセットを用いることで、カセット単位で回収処理や補充処理を行うことができるので、紙幣処理装置１０の利便性が向上する。
【０１１３】
また、複数の紙幣カセットは、専用カセットに加えて、職員Ｓ１の指示に基づき処理される紙幣と、職員Ｓ２の指示に基づき処理される紙幣とを収納する紙幣収納庫３５ａ及びリジェクト庫３５ｂ（共用カセット）を含む。共用カセットには、例えばリジェクト紙幣が収納される。かかる場合に、処理状況に応じて紙幣を収納するカセットを選択することで、リジェクト紙幣等を除く紙幣を専用カセットに収納できるので、各職員が管理すべき紙幣を一層容易に判別できる。
【０１１４】
さらに、第１の実施形態においては、記憶部８０は、共用カセットである紙幣収納庫３５ａに収納された紙幣に関する情報を記憶する。このため、紙幣収納庫３５ａに収納された紙幣が、職員Ｓ１又は職員Ｓ２のいずれの指示により収納された紙幣かを特定できる。
【０１１５】
＜２．第２の実施形態＞
第２の実施形態における紙幣カセットの運用例について、図１５を参照しながら説明する。なお、第２の実施形態における紙幣カセット３０Ａ〜３０Ｄ、３５以外の構成は、第１の実施形態と同様であるので、詳細な説明は省略する。
【０１１６】
図１５は、第２の実施形態における紙幣カセット３０Ａ〜３０Ｄ、３５の運用例を説明するための模式図である。第２の実施形態でも、第１の実施形態と同様に、紙幣カセット３０Ａ、３０Ｂを職員Ｓ１の専用カセットとし、紙幣カセット３０Ｃ、３０Ｄを職員Ｓ２の専用カセットとし、紙幣カセット３５の紙幣収納庫３５ａ及びリジェクト庫３５ｂを職員Ｓ１、Ｓ２の共用カセットとして運用している。
【０１１７】
一方で、第１の実施形態では、図３に示すように、紙幣カセット３０Ａ〜３０Ｄは、それぞれ紙幣を集積する機能と紙幣を繰り出す機能を有するリサイクル庫であり、紙幣収納庫３５ａは、紙幣を集積する機能のみを有する入金専用庫である。これに対して、第２の実施形態では、図１５に示すように、金種が１００元である紙幣を収納する紙幣カセット３０Ａ、３０Ｃがリサイクル庫であり、様々な金種の紙幣を収納する紙幣カセット３０Ｂ、３０Ｄが入金専用庫であり、紙幣収納庫３５ａは、金種が５０元である紙幣を繰り出す機能のみを有する出金専用庫である。すなわち、紙幣収納庫３５ａが、入金処理の際に紙幣を集積しない一方で、出金処理の際に紙幣を繰り出す繰出専用収納部である。
【０１１８】
次に、図１６及び図１７を参照しながら、上述した構成の紙幣カセット３０Ａ〜３０Ｄ、３５を用いた入金処理時と出金処理時の紙幣の搬送例について説明する。
【０１１９】
図１６は、第２の実施形態に係る入金処理時の紙幣の搬送例を説明するための模式図である。図１６（ａ）は、職員Ｓ１による入金処理時の紙幣の搬送例を示し、図１６（ｂ）は、職員Ｓ２による入金処理時の紙幣の搬送例を示す。
【０１２０】
職員Ｓ１による入金処理の際に、入金対象の紙幣が１００元である場合には、図１６（ａ）に示すように紙幣は紙幣カセット３０Ａに搬送される。入金対象の紙幣が１００元以外の場合や、紙幣カセット３０Ａに収納できない場合には、紙幣は紙幣カセット３０Ｂに搬送される。入金対象の紙幣がリジェクト紙幣である場合には、紙幣はリジェクト庫３５ｂに搬送される。
【０１２１】
同様に、職員Ｓ２による入金処理の際に、入金対象の紙幣が１００元である場合には、図１６（ｂ）に示すように紙幣は紙幣カセット３０Ｃに搬送される。入金対象の紙幣が１００元以外の場合や、紙幣カセット３０Ｃに収納できない場合には、紙幣は紙幣カセット３０Ｄに搬送される。入金対象の紙幣がリジェクト紙幣である場合には、紙幣はリジェクト庫３５ｂに搬送される。
【０１２２】
図１７は、第２の実施形態に係る出金処理時の紙幣の搬送例を説明するための模式図である。図１７（ａ）は、職員Ｓ１による出金処理時の紙幣の搬送例を示し、図１７（ｂ）は、職員Ｓ２による出金処理時の紙幣の搬送例を示す。
【０１２３】
職員Ｓ１による出金処理の際に、出金対象の紙幣が１００元である場合には、図１７（ａ）に示すように、紙幣カセット３０Ａの紙幣が繰り出される。出金対象の紙幣が１００元以外の場合には、紙幣カセット３０Ｂの紙幣が繰り出される。そして、リジェクト紙幣で無い場合には、紙幣は出金口１８に搬送され、リジェクト紙幣である場合には、紙幣はリジェクト庫３５ｂに搬送される。
【０１２４】
同様に、職員Ｓ２による出金処理の際に、出金対象の紙幣が１００元である場合には、図１７（ｂ）に示すように、紙幣カセット３０Ｃの紙幣が繰り出される。出金対象の紙幣が１００元以外の場合には、紙幣カセット３０Ｄの紙幣が繰り出される。そして、リジェクト紙幣で無い場合には、紙幣は出金口１８に搬送され、リジェクト紙幣である場合には、紙幣はリジェクト庫３５ｂに搬送される。
【０１２５】
上述した第２の実施形態によれば、種々の金種の紙幣を収納する職員毎の入金専用庫（すなわち、職員Ｓ１専用の紙幣カセット３０Ｂと、職員Ｓ２の専用の紙幣カセット３０Ｄ）を設けている。これにより、紙幣カセット３０Ｂ、３０Ｄの紙幣が、職員Ｓ１、Ｓ２のいずれが管理すべき紙幣かを容易に判別できる。
【０１２６】
＜３．第３の実施形態＞
第３の実施形態における紙幣カセットの運用例について、図１８を参照しながら説明する。第３の実施形態では、一つのリジェクト庫付き紙幣カセット３５が設けられた第１の実施形態とは異なり、二つのリジェクト庫付き紙幣カセット３５、３６（以下、紙幣カセット３５、３６と称す）が設けられている。そして、紙幣カセット３５、３６は、それぞれ紙幣収納庫３５ａ、３６ａとリジェクト庫３６ａ、３６ｂを含む。なお、第３の実施形態における紙幣カセット３０Ａ〜３０Ｄ、３５、３６以外の構成は、第１の実施形態と同様であるので、詳細な説明は省略する。
【０１２７】
図１８は、第３の実施形態における紙幣カセット３０Ａ〜３０Ｄ、３５、３６の運用例を説明するための模式図である。第３の実施形態では、第１の実施形態とは異なり、職員Ｓ１、Ｓ２の共用カセットを設けていない。すなわち、紙幣カセットが、専用カセットのみで構成されている。
【０１２８】
具体的には、図１８に示すように、紙幣カセット３０Ａ、３０Ｂ、紙幣収納庫３５ａ、及びリジェクト庫３６ａを職員Ｓ１の専用カセットとし、紙幣カセット３０Ｃ、３０Ｄ、紙幣収納庫３５ａ、及びリジェクト庫３６ｂを職員Ｓ２の専用カセットとして運用している。
【０１２９】
次に、図１９及び図２０を参照しながら、上述した構成の紙幣カセット３０Ａ〜３０Ｄ、３５、３６を用いた入金処理時と出金処理時の紙幣の搬送例について説明する。
【０１３０】
図１９は、第３の実施形態に係る入金処理時の紙幣の搬送例を説明するための模式図である。図１９（ａ）は、職員Ｓ１による入金処理時の紙幣の搬送例を示し、図１９（ｂ）は、職員Ｓ２による入金処理時の紙幣の搬送例を示す。
【０１３１】
職員Ｓ１による入金処理の際に、入金対象の紙幣が１００元である場合には、図１９（ａ）に示すように紙幣は紙幣カセット３０Ａに搬送され、入金対象の紙幣が５０元である場合には、紙幣は紙幣カセット３０Ｂに搬送される。また、入金対象の紙幣が５０元、１００元以外の場合や、紙幣カセット３０Ａ、３０Ｂに収納できない場合には、紙幣は紙幣収納庫３５ａに搬送される。入金対象の紙幣がリジェクト紙幣である場合には、紙幣はリジェクト庫３６ａに搬送される。
【０１３２】
同様に、職員Ｓ２による入金処理の際に、入金対象の紙幣が１００元である場合には、図１９（ｂ）に示すように紙幣は紙幣カセット３０Ｃに搬送され、入金対象の紙幣が５０元である場合には、紙幣は紙幣カセット３０Ｄに搬送される。また、入金対象の紙幣が５０元、１００元以外の場合や、紙幣カセット３０Ｃ、３０Ｄに収納できない場合には、紙幣は紙幣収納庫３５ａに搬送される。入金対象の紙幣がリジェクト紙幣である場合には、紙幣はリジェクト庫３６ｂに搬送される。
【０１３３】
図２０は、第３の実施形態に係る出金処理時の紙幣の搬送例を説明するための模式図である。図２０（ａ）は、職員Ｓ１による出金処理時の紙幣の搬送例を示し、図２０（ｂ）は、職員Ｓ２による出金処理時の紙幣の搬送例を示す。
【０１３４】
職員Ｓ１による出金処理の際に、出金対象の紙幣が１００元である場合には、図２０（ａ）に示すように紙幣カセット３０Ａの紙幣が繰り出され、出金対象の紙幣が５０元である場合には、紙幣カセット３０Ｂの紙幣が繰り出される。そして、リジェクト紙幣で無い場合には、紙幣は出金口１８に搬送され、リジェクト紙幣である場合には、紙幣はリジェクト庫３６ａに搬送される。
【０１３５】
同様に、職員Ｓ２による出金処理の際に、出金対象の紙幣が１００元である場合には、紙幣カセット３０Ｃの紙幣が繰り出され、出金対象の紙幣が５０元である場合には、紙幣カセット３０Ｄの紙幣が繰り出される。そして、リジェクト紙幣で無い場合には、紙幣は出金口１８に搬送され、リジェクト紙幣である場合には、紙幣はリジェクト庫３６ｂに搬送される。
【０１３６】
上述した第３の実施形態によれば、複数の紙幣カセットが専用カセットのみで構成されているので、各カセットに収納された紙幣が、職員Ｓ１と職員Ｓ２のどちらか管理すべき紙幣かをより一層判別しやすくなる。
【０１３７】
＜４．第４の実施形態＞
第４の実施形態に係る紙幣処理装置１０の構成は、第１の実施形態と同様である。すなわち、第４の実施形態でも、図３に示すように、紙幣カセット３０Ａ、３０Ｂを職員Ｓ１の専用カセットとし、紙幣カセット３０Ｃ、３０Ｄを職員Ｓ２の専用カセットとし、紙幣収納庫３５ａ及びリジェクト庫３５ｂを職員Ｓ１、Ｓ２の共用カセットとしている。
【０１３８】
そして、第４の実施形態では、制御部７０は、共用カセットである紙幣収納庫３５ａの紙幣の出金口１８における回収処理の際に、紙幣収納庫３５ａに収納された紙幣のうちの職員Ｓ１又は職員Ｓ２の指示に基づき処理された紙幣のみを、出金口１８に搬送する。これにより、回収処理の際に、職員Ｓ１（又は職員Ｓ２）が管理すべき紙幣のみを出金口１８に集積できるので、職員は、紙幣収納庫３５ａから自己の管理すべき紙幣のみを簡易に回収できる。
【０１３９】
以下では、図２１を参照しながら、紙幣収納庫３５ａから各職員が管理すべき紙幣を出金口１８に回収する回収処理例について説明する。図２１は、第４の実施形態に係る回収処理例を示すフローチャートである。
【０１４０】
図２１のフローチャートは、職員Ｓ１（Ｓ２）が、自己の使用者ＩＤを指定するところから開始される（ステップＳ４００）。次に、制御部７０は、共用カセットである紙幣収納庫３５ａから紙幣を繰り出し（ステップＳ４０２）、紙幣認識部２０で紙幣の鑑別を行う（ステップＳ４０４）。
【０１４１】
次に、制御部７０は、紙幣認識部２０の鑑別結果により、紙幣がリジェクト紙幣（金種が不明な紙幣、走行異常である紙幣等）であるか否かを判定する（ステップＳ４０６）。そして、ステップＳ４０６においてリジェクト紙幣で無いと判定された場合には（Ｎｏ）、制御部７０は、鑑別された紙幣がステップＳ４００で指定された使用者ＩＤに対応した紙幣かを判定する（ステップＳ４０８）。例えば、制御部７０は、図７のテーブルＴ２を参照して判定する。
【０１４２】
そして、ステップＳ４０８において紙幣が使用者ＩＤに対応した紙幣である場合には（Ｙｅｓ）、制御部７０は、紙幣を出金口１８に搬送する（ステップＳ４１０）。これにより、例えば職員Ｓ１（Ｓ２）が管理すべき紙幣のみが出金口１８に搬送されることとなる。
【０１４３】
ステップＳ４０６においてリジェクト紙幣であると判定された場合（Ｙｅｓ）、又はステップＳ４０８において紙幣が使用者ＩＤに対応しない紙幣である場合には（Ｎｏ）、制御部７０は、紙幣を一時保留部２２に搬送する（ステップＳ４１２）。次に、制御部７０は、一時保留部２２の紙幣を繰り出し（ステップＳ４１４）、紙幣認識部２０で紙幣の鑑別を再度行う（ステップＳ４１６）。
【０１４４】
次に、制御部７０は、紙幣認識部２０の鑑別結果により、紙幣がリジェクト紙幣であるか否かを判定する（ステップＳ４１８）。そして、ステップＳ４１８においてリジェクト紙幣で無いと判定された場合には（Ｎｏ）、制御部７０は、鑑別された紙幣がステップＳ４００で指定された使用者ＩＤに対応した紙幣かを判定する（ステップＳ４２０）。
【０１４５】
そして、ステップＳ４２０において紙幣が使用者ＩＤに対応した紙幣である場合には（Ｙｅｓ）、制御部７０は、紙幣を出金口１８に搬送する（ステップＳ４２２）。一方で、ステップＳ４２０において紙幣が使用者ＩＤに対応しない紙幣である場合には（Ｎｏ）、制御部７０は、紙幣を紙幣収納庫３５ａに搬送して収納する（ステップＳ４２４）。
【０１４６】
ステップＳ４１８においてリジェクト紙幣であると判定された場合には（Ｙｅｓ）、制御部７０は、ステップＳ４０４の最初の鑑別結果を代わりに使用できるかを判定する（ステップＳ４２６）。例えば、最初の鑑別結果（ステップＳ４０４）においてリジェクト紙幣で無く、かつ指定された使用者ＩＤに対応しない紙幣であると判定され、その後二回目の鑑別結果（ステップＳ４１６）でリジェクト紙幣であると判定された場合には、最初の鑑別結果を代わりに使用できる。
【０１４７】
ステップＳ４２６において最初の鑑別結果を使用できると判定された場合には（Ｙｅｓ）、制御部７０は、紙幣を紙幣収納庫３５ａに搬送して収納する（ステップＳ４２４）。一方で、ステップＳ４２６において最初の鑑別結果を使用できないと判定された場合には（Ｎｏ）、制御部７０は、紙幣をリジェクト庫３５ｂに搬送して収納する（ステップＳ４２８）。
【０１４８】
上述した第４の実施形態によれば、回収処理の際に、共用カセットである紙幣収納庫３５ａに収納された紙幣のうちの職員Ｓ１（又は職員Ｓ２）が管理すべき紙幣のみを出金口１８に集積できる。このため、職員は、紙幣収納庫３５ａから自己の管理すべき紙幣のみを簡易に回収できる。
【０１４９】
＜５．まとめ＞
上述した紙幣処理装置１０は、図１に示すように、紙幣を収納する複数の紙幣カセット３０Ａ〜３０Ｄ、３５を備える。そして、複数の紙幣カセットは、複数の使用者（図２に示す職員Ｓ１、Ｓ２）のうちの第１使用者（例えば、職員Ｓ１）の指示に基づき処理される紙幣のみを収納する第１専用収納部（例えば、図３に示す紙幣カセット３０Ａ、３０Ｂ）と、第２使用者（例えば、職員Ｓ２）の指示に基づき処理される紙幣のみを収納する第２専用収納部（例えば、図３に示す紙幣カセット３０Ｃ、３０Ｄ）と、を含む。
【０１５０】
これにより、第１使用者の指示に基づき入出金される紙幣が第１専用収納部に収納され、第２使用者の指示に基づき入出金される紙幣が第２専用収納部に収納されるので、紙幣が混在することを防止できる。このため、複数の使用者の指示に基づき紙幣が処理されても、各使用者の管理すべき紙幣を容易に判別することが可能となる。
【０１５１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１５２】
また、上述した紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【０１５３】
また、紙幣処理装置１０に内蔵されるＣＰＵ、ＲＯＭおよびＲＡＭなどのハードウェアを、上述した紙幣処理装置１０の各構成と同等の機能を発揮させるためのコンピュータプログラムも作成可能である。
【０１５４】
また、上述した実施形態では、紙幣処理装置１０を職員操作型端末に適用して説明したが、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１５５】
１０    紙幣処理装置
１２    入金口
１８    出金口
２０    紙幣認識部
２２    一時保留部
２４    搬送部
３０Ａ〜３０Ｄ、３５、３６    紙幣カセット
３５ａ、３６ａ    紙幣収納庫
３６ａ、３６ｂ    リジェクト庫
７０    制御部
８０    記憶部
８２    検知部
９０ａ、９０ｂ    受付端末
【図１】
2014049040.tif 000003
【図２】
2014049040.tif 000004
【図３】
2014049040.tif 000005
【図４】
2014049040.tif 000006
【図５】
2014049040.tif 000007
【図６】
2014049040.tif 000008
【図７】
2014049040.tif 000009
【図８】
2014049040.tif 000010
【図９】
2014049040.tif 000011
【図１０】
2014049040.tif 000012
【図１１】
2014049040.tif 000013
【図１２】
2014049040.tif 000014
【図１３】
2014049040.tif 000015
【図１４】
2014049040.tif 000016
【図１５】
2014049040.tif 000017
【図１６】
2014049040.tif 000018
【図１７】
2014049040.tif 000019
【図１８】
2014049040.tif 000020
【図１９】
2014049040.tif 000021
【図２０】
2014049040.tif 000022
【図２１】
2014049040.tif 000023